(57)【要約】      （修正有）【課題】部品点数が少なく、簡易に製造可能で、量産性や作業性に優れ、デザイン性も高い財布を提供する。【解決手段】財布１は、二つ折りで構成されるものであり、札入れ部２と、小銭入れ部３と、カード入れ部４とを備える。財布１は、シート材料を展開した状態において、札入れ部２の両側に、小銭入れ部３とカード入れ部４とを備え、札入れ部２、小銭入れ部３及びカード入れ部４は、シート材料の中央部分において帯状に連なっている。【選択図】図１
0003180002.tif 000002
【実用新案登録請求の範囲】
【請求項１】
札入れ部、小銭入れ部及びカード入れ部を備えた二つ折りの財布であって、
一枚のシート材料を折り畳むことで構成され、
前記シート材料を展開した状態において、前記札入れ部の両側に前記小銭入れ部と前記カード入れ部とを備えるとともに、前記札入れ部、前記小銭入れ部及び前記カード入れ部は、前記一枚の素材の中央部分で帯状に連なり、
前記札入れ部は、前記帯状に連なる中央部分を挟んで上下にそれぞれ第一上部折返し片と第一下部折返し片とを備え、前記第一上部折返し片を前記中央部分に向かって折り畳んだ上に、前記第一下部折返し片を折り畳んで構成され、
前記小銭入れ部は、前記帯状に連なる中央部分を挟んで上下にそれぞれ第二上部折返し片と第二上部折返し片とを備え、前記第二上部折返し片を前記中央部分に向かって折り畳んだ上に、前記第二下部折返し片を折り畳んで構成され、前記第二下部折返し片は、前記第二上部折返し片に固定され、前記第二上部折返し片には、折り畳み方向と垂直方向の端部に前記小銭入れ部の蓋を備え、
前記カード入れ部は、前記帯状に連結される中央部分を挟んで上下にそれぞれ第三上部折返し片と第三下部折返し片とを備え、前記第三上部折返し片を前記中央部分に向かって折り畳んだ上に、前記第三下部折返し片を折り畳んで構成され、
前記小銭入れ部及び前記カード入れ部は、第二及び第三下部折返し片の面を、前記札入れ部の前記第一下部折返し片の側に折り畳んだ状態で、前記札入れ部に固定されたことを特徴とする財布。
【請求項２】
前記カード入れ部の前記第三上部折返し片には、折り畳み方向と垂直方向の端部に前記カード入れ部の蓋を備えたことを特徴とする請求項１記載の財布。
【請求項３】
前記小銭入れ部は、
前記第二上部折返し片と前記第二下部折返し片とを固定する第一留め具と、
前記第二上部折返し片に設けられ、前記第二下部折返し片を貫通して、前記小銭入れ部を前記札入れ部の第一下部折返し片と固定させる第二留め具と、
を備えたことを特徴とする請求項１又は２記載の財布。
【請求項４】
前記カード入れ部の第三下部折返し片には、前記カード入れ部を前記札入れ部の第一下部折返し片と固定させる第三留め具が設けられ、前記第一留め具、前記第二留め具及び前記第三留め具は、財布を二つ折りにした際に、それぞれ重ならない位置に配置されたことを特徴とする請求項３記載の財布。
【請求項５】
前記札入れ部の第一上部折返し片には、スリットが設けられたことを特徴とする請求項１〜４のいずれか１項に記載の財布。
【考案の詳細な説明】
【技術分野】
【０００１】
本考案は、皮革や堅い素材からなる財布に係り、特に、縫製を行わずに形成する技術に関する。
【背景技術】
【０００２】
財布は、日用品であるとともに必需品であり、多くの人が使うものであるため、従来から機能性及びデザイン性の面において、様々な工夫が施されている。例えば、特許文献１及び２では、札入れと小銭入れを着脱自在に構成し、札入れのみ用いる場合、小銭入れのみ用いる場合、又は札入れと小銭入れを一緒に用いる場合など、用途と状況に応じて、使い分けができるようにし、利便性を高めた財布が提案されている。
【０００３】
また、特許文献３では、財布の外装に剛性の革を素材として用い、大量の紙幣や硬貨を収納した際の財布の型崩れや膨らみを防止した技術が提案されている。
【先行技術文献】
【特許文献】
【０００４】
【特許文献１】特開２００１−６１５２８号公報
【特許文献２】実用新案登録第３１０８０６４号公報
【特許文献３】実用新案登録第３１４４４６１号公報
【考案の概要】
【考案が解決しようとする課題】
【０００５】
ところで、上記従来の財布では、例えば、利便性のための札入れと小銭入れとの分離や、型崩れ等の防止のための外装の高剛性化などの機能を追加するにあたり、部品点数を増加させたり、剛性ある素材を別途用いたりする必要があった。また、部品点数が増加したり、従来用いていなかった素材を用いることで新たな製造工程が加わるなどの課題があった。
【０００６】
また、従来の財布は、パーツ同士の結合に当たって縫製を必要としていたが、財布に小銭やカードなどの物を入れた場合、この縫製が施された部品の結合部分にテンションが掛かって縫製部分が破断することもあり、このような場合には財布の修理が必要となっていた。
【０００７】
本考案は、以上のような従来技術の課題を解決するために提案されたものであり、その目的は、部品点数が極めて少なく、簡易に製造可能で、量産性や作業性に優れ、デザイン性も高い財布を提供することにある。
【課題を解決するための手段】
【０００８】
上記目的を達成するため、請求項１の考案は、札入れ部、小銭入れ部及びカード入れ部を備えた二つ折りの財布であって、一枚のシート材料を折り畳むことで構成され、前記シート材料を展開した状態において、前記札入れ部の両側に前記小銭入れ部と前記カード入れ部とを備えるとともに、前記札入れ部、前記小銭入れ部及び前記カード入れ部は、前記一枚の素材の中央部分で帯状に連なり、前記札入れ部は、前記帯状に連なる中央部分を挟んで上下にそれぞれ第一上部折返し片と第一下部折返し片とを備え、前記第一上部折返し片を前記中央部分に向かって折り畳んだ上に、前記第一下部折返し片を折り畳んで構成され、前記小銭入れ部は、前記帯状に連なる中央部分を挟んで上下にそれぞれ第二上部折返し片と第二上部折返し片とを備え、前記第二上部折返し片を前記中央部分に向かって折り畳んだ上に、前記第二下部折返し片を折り畳んで構成され、前記第二下部折返し片は、前記第二上部折返し片に固定され、前記第二上部折返し片には、折り畳み方向と垂直方向の端部に前記小銭入れ部の蓋を備え、前記カード入れ部は、前記帯状に連結される中央部分を挟んで上下にそれぞれ第三上部折返し片と第三下部折返し片とを備え、前記第三上部折返し片を前記中央部分に向かって折り畳んだ上に、前記第三下部折返し片を折り畳んで構成され、前記小銭入れ部及び前記カード入れ部は、第二及び第三下部折返し片の面を、前記札入れ部の前記第一下部折返し片の側に折り畳んだ状態で、前記札入れ部に固定されたことを特徴とする。
【０００９】
以上の態様では、一枚のシート材料をカットし、これを折り畳むだけで財布を構成することが可能であるので、部品はたった一枚のシートと、各構成要素を固定する留め具で済む。したがって、部品点数が少なく、また縫製を必要とせず、量産性や作業性に極めて優れた財布を提供することができる。また、従来の財布は、パーツ同士の結合に当たって縫製を必要としていたが、本考案の財布では縫製が必要とされず、パーツ同士の結合部分が存在しない。そのため、財布に小銭やカードなどの物を入れた場合であっても、部品の結合部分にテンションが掛かって縫製部分が破断するようなことがなく、修理が必要となる場合がなくなる。
【００１０】
財布は、日常必需品であって、常日頃持ち歩くものであることから、当然汚れる可能性が高く、また、札入れ、小銭入れ及びカード入れのいずれも袋状を成すので、内部にゴミが溜まることもある。この点、本考案の財布は、ボタン等の留め具を開放すれば一枚のシート材料となるものであり、展開した状態であれば汚れの除去やゴミの除去は極めて容易である。
【００１１】
請求項２の考案は、請求項１の考案において、前記カード入れ部の前記第三上部折返し片には、折り畳み方向と垂直方向の端部に前記カード入れ部の蓋を備えたことを特徴とする。
【００１２】
以上の態様では、一枚のシート材料から、札入れ部、小銭入れ部、及びカード入れ部を構成し、さらに、小銭入れ部とカード入れ部については蓋を設けた。これにより、袋状に設けられる小銭入れとカード入れに入れられた小銭やカードをしっかりと封入することができ、小銭やカードの財布からの不意の排出がなくなり、通常使用上の利便性を向上させることができる。また、これを一枚のシート材料において構成することができる点で顕著である。
【００１３】
請求項３の考案は、請求項１又は２記載の考案において、前記小銭入れ部は、前記第二上部折返し片と前記第二下部折返し片とを固定する第一留め具と、前記第二上部折返し片に設けられ、前記第二下部折返し片を貫通して、前記小銭入れ部を前記札入れ部の第一下部折返し片と固定させる第二留め具と、を備えたことを特徴とする。
【００１４】
以上の態様では、小銭入れ部は、上下折返し片を固定するだけでなく、上下折返し片を積層して、小銭挿入領域を形成するに当たり、下側に位置する上部折返し片を、上側に位置する下部折返し片を通過させて、札入れ部に固定するようにしている。そのため、固定部分に、上部折返し片よりなるシートが一枚介在されることとなり、小銭入れ部と、札入れ部の間のクリアランスを少なくすることができる。これにより、小銭入れの袋状部を形成する第一上部折返し片が、札入れ部側にぴったりと固定されることとなり、小銭入れ部の袋状部分の開きが良くなり、小銭の出し入れが容易になる。
【００１５】
請求項４の考案は、請求項３の考案において、前記カード入れ部の第三下部折返し片には、前記カード入れ部を前記札入れ部の第一下部折返し片と固定させる第三留め具が設けられ、前記第一留め具、前記第二留め具及び前記第三留め具は、財布を二つ折りにした際に、それぞれ重ならない位置に配置されたことを特徴とする。
【００１６】
以上の態様では、財布を二つ折りに形成した際に、財布の厚み方向において、複数用いる留め具の位置を、すべてずらすことで、留め具相互が干渉せず、全体として、財布を薄型に形成することができる。
【００１７】
請求項５の考案は、請求項１〜４のいずれか１項に記載の考案において、前記札入れ部の第一上部折返し片には、スリットが設けられたことを特徴とする。
【００１８】
以上の態様では、通常、札入れ部は、財布の二つ折りとなる方の反対側の財布の表面側に位置するが、この部分に、各種カードを挿入可能なサイズのスリットを設ける。そして、例えば、このスリットに被接触型のＩＣカードなどを挿入することで、財布のカードや小銭入れとは反対の側に、配置することができる。したがって、ＩＣカード等の利用に当たって、財布ごと読み取り機に近接させれば、他のカード等の干渉を受けることなく、ＩＣカードを読み取り機に近接させて利用することが可能となる。
【考案の効果】
【００１９】
以上のような本考案によれば、一枚のシート材料をカットし、これを折り畳むだけで財布を構成することが可能であるので、部品はたった一枚のシートと、各構成要素を固定する留め具で済み、部品点数が少ないとともに、縫製を必要とせず、量産性や作業性に極めて優れた財布を提供することができる。
【図面の簡単な説明】
【００２０】
【図１】本考案の実施の形態に係る財布の全体構成を示す斜視図。
【図２】本考案の実施の形態に係る財布の展開状態を示す模式図。
【図３】本考案の実施の形態に係る財布の留め具の構成を示す模式図。
【図４】本考案の実施の形態に係る財布の組み立て手順を示す模式図。
【図５】本考案の実施の形態に係る財布の組み立て手順を示す模式図。
【図６】本考案の実施の形態に係る財布の組み立て手順を示す模式図。
【図７】本考案の実施の形態に係る財布の組み立て手順を示す模式図。
【考案を実施するための形態】
【００２１】
以下、本考案の実施の形態（以下、本実施形態という。）について、図面を参照しながら説明する。なお、従来と同様の構成については、適宜説明を省略する場合がある。
【００２２】
［１．本実施形態］
［１−１．構成］
［全体構成］
本実施形態の財布１は、図１の全体構成斜視図に示すように、二つ折りで構成されるものであり、札入れ部２と、小銭入れ部３と、カード入れ部４とから構成される。本実施形態の財布１は、前述した構成要素をすべて一枚のシート材料により構成した点に特徴を有するものである。そこで、以下、図２に示す財布１の展開図を用いて具体的な構成について説明する。
【００２３】
図２に示すように、財布１は、一枚のシート材料Ｓによって構成される。図２（ａ）は、財布１の展開状態を、シート材料Ｓの裏面から表したものであり、図２（ｂ）は、図２（ａ）の状態から表裏を左右方向に反転させて、シート材料Ｓの表面から表したものである。
【００２４】
財布１は、シート材料Ｓを展開した状態において、札入れ部２の両側に、小銭入れ部３とカード入れ部４とを備え、札入れ部２、小銭入れ部３及びカード入れ部４は、シート材料Ｓの中央部分Ｃにおいて帯状に連なっている。なお、中央部分Ｃについては、札入れ部２に相当する部分をＣ２とし、小銭入れ部３に相当する部分をＣ３とし、カード入れ部４に相当する部分をＣ４とする。
【００２５】
［各構成要素の構成］
次に、財布１をなす各構成要素について具体的に説明する。
（１）シート材料の構成
シート材料Ｓは、望ましくは、天然皮革から構成される。ここで、天然皮革とは、動物の皮膚を剥ぎ、皮膚の毛を除去した上で鞣（なめ）したものをいう。天然皮革の特徴は、鞣しにより適度な柔軟性や伸縮性と強度や耐性を備えるとともに、折返しなどの癖付けにより、形態安定性を有し、さらに、天然皮革の色や風合いの経年変化や独特の香りなど、デザイン性も高い点にある。一般的に財布や袋物においては、皮革が多く用いられているが、本実施形態の財布１を構成するに当たっても、一枚の材料を折り畳んで構成する点で、皮革が最も適した材料である。ただし、本実施形態のシート材料Ｓを構成する材料として、天然皮革以外でも、一枚の所定の形状に加工された人工皮革、布、硬質の紙又は合成樹脂等からなる薄厚のシート材料によって構成することが可能であることはいうまでもない。
【００２６】
（２）札入れ部の構成
札入れ部２は、帯状に連なる中央部分Ｃ２を挟んで上下にそれぞれ第一上部折返し片２１と第一下部折返し片２２とを備える。
【００２７】
ここで、札入れ部２の中央部分Ｃ２と第一上部折返し片２１と第一下部折返し片２２との境界には、折り目Ｒが付けられている。この折り目Ｒは、一般的に、革の裏面（一般的に「床面」という。これに対して表面は「銀面」という。）に折り目のラインを入れ、手作業にて癖付けることによって付けられるものである。
【００２８】
また、札入れ部２は、展開状態から組み立てた後において、横方向の中心線Ｏ部分で折り畳まれ、二つ折りにして用いられるものである（図１参照）。
【００２９】
図２（ｂ）に示すように、シート材料Ｓの表面（皮革材料としての「銀面」）において、札入れ部２の第一上部折返し片２１には、２つのスリット２３が設けられている。このスリット２３は、横方向に５〜６ｃｍ程度の幅で設けられており、主として、非接触型ＩＣカードなどのカードを挿入するために設けられたものである。２つのスリット２３は、財布１を二つ折りにした際に左右位置において対称な位置に設けられている。
【００３０】
図２（ｂ）において、第一下部折返し片２２には、二つ折りにした際の中心線Ｏに対して左右に、雌留め具２４，２５を上下一組ずつ、全４つ備える。この雌留め具２４，２５は、札入れ部２に対し小銭入れ部３及びカード入れ部４を固定するために設けられた第一雄留め具３４、第二雄留め具４３（詳細は後述する。）と当接する部材である。なお、「（５）各構成要素相互の関係」の項において具体的に説明するが、この雌留め具２４，２５は、財布１を二つ折りにした際の中心線Ｏに対して、左右対称には設けられず、中心線Ｏからの距離が、留め具一つ分程度（１ｃｍ程度）ずれて設けられている。また、本実施形態において、留め具としてはスナップボタンを想定している。
【００３１】
札入れ部２の中央部分Ｃ２の高さＨ１と、第一上部折返し片２１及び第一下部折返し片２２の高さＨ２、Ｈ３とはほぼ同等に形成されている。ただし、第一上部折返し片２１と第一下部折返し片２２とを中央部分Ｃ２側に折り畳んだ際に、邪魔にならない程度に、第一上部折返し片２１と第一下部折返し片２２の高さＨ２，Ｈ３をわずかに短くして構成される。具体的には、本実施形態において想定している高さＨ１は１３ｃｍ程度であり、Ｈ２，Ｈ３はこれよりも１ｃｍ程度短い１２ｃｍ程度で形成される。
【００３２】
なお、このサイズは、カード入れ部４にＢ７サイズ（９１ｍｍ×１２８ｍｍ）のパスポートを収納することを想定して設計された最適な実施態様を示すものである。また、札入れ部２の中央部分Ｃ２の高さＨ１は、紙幣を収納し、または、一般的な規格のカード（５４ｍｍ×８６ｍｍ）を縦方向に収納するため、最低限９ｃｍ程度あれば構成可能である。また、場合によっては現行の日本銀行券の一万円券（２００４年１１月１日発行・７６ｍｍ×１６０ｍｍ）が収まる程度に十分な高さを有するものであれば機能的には満足されるものである。また、札入れ部２の幅Ｗ１について、本実施形態では２０ｃｍ程度で構成することを想定しているが、これも、上述の紙幣を収納することを前提として、１７ｃｍ程度で形成すればその機能を果たしうる。
【００３３】
上述のような札入れ部２は、第一上部折返し片２１を中央部分Ｃ２に向かって折り畳んだ後、第一下部折返し片２２を折り畳むことで、第一上部折返し片２１の表面と第一下部折返し片２２の裏面との間に、札入れ領域が構成される。
【００３４】
（３）小銭入れ部の構成
小銭入れ部３は、図２（ａ）に示すように、帯状に連なる中央部分Ｃ３を挟んで上下にそれぞれ第二上部折返し片３１と第二下部折返し片３２とを備える。小銭入れ部３を構成する中央部分Ｃ３、第二上部折返し片３１及び第二下部折返し片３２は、概ね縦長の長方形状からなり、縦方向の長さはほぼ札入れ部２と同等で、幅方向の長さは札入れ部２の半分に相当する程度である。本実施形態における小銭入れ部３の大きさを具体的に示すと、幅Ｗ２が８ｃｍ程度であり、高さＨ４が１２ｃｍ程度である。なお、図２（ａ）において示す小銭入れ部３の中央部分Ｃ３の図中左側端部は、小銭入れ部３において小銭を投入する部分であるので、小銭の投入し易さを考慮して多少凹形状にカットされている。
【００３５】
図２（ｂ）に示すように、第二上部折返し片３１と第二下部折返し片３２には、それぞれ第二上部折返し片３１と第二下部折返し片３２とを固定する第一留め具３３が設けられている。すなわち、第二上部折返し片３１の上に、第二下部折返し片３２が折り重なって、第二上部折返し片３１と、第二下部折返し片２２が、第一留め具３３によって、固定されるようになっている。
【００３６】
また、第二上部折返し片３１には、第二下部折返し片３２を貫通して札入れ部２の第一下部折返し片２１の雌留め具２４と当接する第一雄留め具３４が設けられている。
【００３７】
一方、第二下部折返し片３２には、第一雄留め具３４が貫通するための貫通孔３５が、第一雄留め具３４の位置に対応して２カ所設けられている。小銭入れ部３は、また、折り畳み方向と垂直方向の端部に小銭入れ部３を閉じる小銭蓋３６を備え、小銭蓋３６とこの小銭蓋３６が当接する小銭入れ部３の中央部分Ｃにおける表側には、雌雄の第二留め具３７が設けられている。
【００３８】
このように構成される小銭入れ部３では、第二下部折返し片３２が第一下部折返し片２２側に折り畳まれ、固定されることで、第二上部折返し片３１と、中央部分Ｃとの間が袋状となり、小銭を入れる領域が形成される。
【００３９】
（４）カード入れ部の構成
カード入れ部４は、帯状に連結される中央部分Ｃを挟んで上下にそれぞれ第三上部折返し片４１と第三下部折返し片４２とを備える。カード入れ部４を構成する中央部分Ｃ４、第三上部折返し片４１及び第三下部折返し片４２は、小銭入れ部３の場合と同様、概ね縦長の長方形状からなり、縦方向の長さは札入れ部２と同等であり、幅方向の長さは札入れ部２の半分に相当する程度である。本実施形態におけるカード入れ部４の大きさを具体的に示すと、幅Ｗ３が８ｃｍ程度であり、高さＨ５が１２ｃｍ程度である。
【００４０】
なお、図２（ａ）において示すカード入れ部４の中央部分Ｃ４の図中右側端部は、カード入れ部４においてカードを挿入する部分であるので、カードの挿入し易さを考慮して多少凹形状にカットされている。
【００４１】
図２（ｂ）に示すように、第三下部折返し片４２には、札入れ２における第一下部折返し片２２の雌留め具２５の位置に対応して、第二雄留め具４３が２カ所設けられている。そして、この第二雄留め具４３によりカード入れ部４を札入れ部２に固定するようになっている。
【００４２】
カード入れ部４は、また、折り畳み方向と垂直方向の端部にカード入れ部４を閉じるカード蓋４４を備え、カード蓋４４と、このカード蓋４４が当接するカード入れ部４の中央部分Ｃにおける表側には、雌雄の第三留め具４５が設けられている。
【００４３】
このように構成されるカード入れ部４では、第三上部折返し片４１の上に、第三下部折返し片４２が折り重なり、さらに、この折り重なった第三上部折返し片４１と第三下部折返し片４２とが、札入れ部２を構成する第一下部折返し片４２側に折り畳まれ、固定される。これにより、第三上部折返し片４１の裏面と中央部分Ｃ４の裏面との間、並びに第三上部折返し片４１の表面及び第三下部折返し片４２の裏面との間に、それぞれカード挿入領域が形成される。この場合、第三上部折返し片４１の裏面と中央部分Ｃ４との裏面の間は、カード蓋４４により四方が囲まれたカード入れ領域となり、第三上部折返し片４１の表面及び第三下部折返し片４２の裏面との間は、上部が開口した袋状のカード入れ領域が形成される。
【００４４】
（５）各構成要素相互の関係
本実施形態の財布１においては、図３に示すように、スナップボタンからなる留め具が複数設けられている。具体的には、札入れ部２の第一下部折返し片２２の表面に、雌留め具２４，２５が各２つずつ設けられている。また、小銭入れ部３の第二下部折返し片３２の表面には、雌留め具２４と当接する第一雄留め具３４と、第二上部折返し片３１と第二下部折返し片３２とを固定する第一留め具３３と、さらに、小銭蓋３６と中央部分Ｃ３とを固定する第二留め具３７とが設けられている。さらに、カード入れ部４の第三下部折返し片４２には、雌留め具２５と当接する第二雄留め具４３が設けられ、また、カード蓋４４と中央部分Ｃ４とを固定する第三留め具４５が設けられている。
【００４５】
すなわち、本実施形態の財布１では、雌雄留め具を組合せた場合に、全体として５カ所で雌雄が一致する留め具が設けられているものである。
【００４６】
上述のように、雌留め具２４と雌留め具２５については、中心線Ｏからの距離が異なり、財布１を二つ折りにして用いた際に、留め具位置が重ならないように配置されている。これと同じように、この雌留め具２４、雌留め具２５と当接する第一雄留め具３３と第二雄留め具４３とについても、それぞれ左右端部からの距離Ｄ１、Ｄ２が異なって配置されている（ここでは、雌留め具２４，２５の関係に対応してＤ１＞Ｄ２に設定されている。）。
【００４７】
また、第一の留め具３３が、財布１を二つ折りにして用いた際に、他の留め具と位置が干渉しないことはいうまでもなく、第二留め具３７と第三留め具４５とも、それぞれ左右端部からの距離Ｄ３，Ｄ４が異なるように配置されている（ここではＤ３＞Ｄ４に設定されている。）。
【００４８】
［１−２．作用効果］
次に、図２に示した展開状態のシート材料Ｓから、図１に示す本実施形態の財布１を組み立てるに至る手順を説明する。なお、ここで説明する組み立て手順は、一例を示すに過ぎず、特に上下折返し片を重ねる順序が違わなければ、その他の手順については、本実施形態の財布１が完成する限り、適宜変更可能なものである。
【００４９】
（１）札入れ部の形成
本実施形態では、まず、札入れ部２を形成する。すなわち、図２（ａ）に示す展開状態から、図４（ａ）に示すように、まず、第一上部折返し片２１を、中央部分Ｃ２との間の折り目Ｒを境界として、中央部分Ｃ２側に折り畳む。続いて、図４（ｂ）に示すように、第一下部折返し片２２を、中央部分Ｃ２との間の折り目Ｒを境界として、中央部分Ｃ２及び第一上部折返し片２１側へ折り畳む。
これにより、第一下部折返し片２２の裏面と、第一上部折返し片２１の表面との間に、札入れ領域が形成される。
【００５０】
（２）小銭入れ部の形成
続いて、小銭入れ部３を形成する。すなわち、図４（ｂ）に示す展開状態から、図５（ａ）に示すように、まず、第二上部折返し片３１を、中央部分Ｃ３との間の折り目Ｒを境界として、中央部分Ｃ３側に折り畳む。続いて、図５（ｂ）に示すように、第二下部折返し片３２を、中央部分Ｃ３との間の折り目Ｒを境界として、中央部分Ｃ３及び第二上部折返し片３１側へ折り畳む。このとき、２つの第一雄留め具３４と、貫通孔３５との位置が合致するように、第二下部折返し片３２を折り曲げる。
すなわち、この状態において、第二上部折返し片３１上に設けられた第一雄留め具３４が貫通孔３５を通じて現れた状態となる。また、第一留め具３３の雌雄を嵌合し、第二上部折返し片３１と第二下部折返し片３２とを固定する。
【００５１】
（３）カード入れ部の形成
次に、カード入れ部４を形成する。すなわち、図５（ｂ）に示す状態から、図６（ａ）に示すように、まず、第三上部折返し片４１を、中央部分Ｃ４との間の折り目Ｒを境界として、中央部分Ｃ４側に折り畳む。続いて、図６（ｂ）に示すように、第三下部折返し片４２を、中央部分Ｃ４との間の折り目Ｒを境界として、中央部分Ｃ４及び第三上部折返し片４１側へ折り畳む。
【００５２】
（４）財布の形成
以上の手順を経て、図６（ｂ）に示すように、札入れ部２、小銭入れ部３、カード入れ部４の各部の上下折返し片が畳み込まれ、横一列に並んだ状態から、図７（ａ）に示すように、小銭入れ部３を、札入れ部２側に折り返して、第一雄留め具３３を、雌留め具２４に嵌合させる。また、小銭蓋３６に設けた第二留め具３７を嵌合し、小銭蓋３６を小銭入れ部３のＣ３表面に固定する。
【００５３】
続いて、図７（ｂ）に示すように、カード入れ部４を、札入れ部２側に折り返して、第二雄留め具４３を、雌留め具２５に嵌合させる。また、カード蓋４４に設けられた第二の留め具４５の雌雄を嵌合し、カード蓋４４を小銭入れ部に固定する。これにより、図７（ｃ）に示す状態となり、この結果として、図１に示すような、本実施形態の財布１が完成する。
【００５４】
（５）効果
以上のように組み立てられる本実施形態の財布１によれば、一枚のシート材料をカットし、これを折り畳むだけで財布を構成することが可能であるので、部品はたった一枚のシートと、各構成要素を固定する留め具で済む。したがって、部品点数が少なく、また縫製を必要とせず、量産性や作業性に極めて優れた財布を提供することができる。また、従来の財布は、パーツ同士の結合に当たって縫製を必要としていたが、本実施形態の財布１では縫製が必要とされず、パーツ同士の結合部分が存在しない。そのため、財布１に小銭やカードなどの物を入れた場合であっても、部品の結合部分にテンションが掛かって縫製部分が破断するようなことがなく、修理が必要となる場合がなくなる。
【００５５】
また、財布は、日常必需品であって、常日頃持ち歩くものであることから、当然汚れる可能性が高く、また、札入れ、小銭入れ及びカード入れのいずれも袋状を成すので、内部にゴミが溜まることもある。この点、本考案の財布は、ボタン等の留め具を開放すれば一枚のシート材料となるものであり、展開した状態であれば汚れの除去やゴミの除去は極めて容易である。
【００５６】
また、一枚のシート材料から、札入れ部、小銭入れ部、及びカード入れ部を構成し、さらに、小銭入れ部とカード入れ部については蓋を設けた。これにより、袋状に設けられる小銭入れとカード入れに入れられた小銭やカードをしっかりと封入することができ、小銭やカードの財布からの不意の排出がなくなり、通常使用上の利便性を向上させることができる。また、これを一枚のシート材料において構成することができる点で顕著である。
【００５７】
小銭入れ部は、上下折返し片を固定するだけでなく、上下折返し片を積層して、小銭挿入領域を形成するに当たり、下側に位置する上部折返し片を、上側に位置する下部折返し片を通過させて、札入れ部に固定するようにしている。そのため、固定部分に、上部折返し片よりなるシートが一枚介在されることとなり、小銭入れ部と、札入れ部の間のクリアランスを少なくすることができる。これにより、小銭入れの袋状部を形成する第一上部折返し片が、札入れ部側にぴったりと固定されることとなり、小銭入れ部の袋状部分の開きが良くなり、小銭の出し入れが容易になる。
【００５８】
財布を二つ折りに形成した際に、財布の厚み方向において、複数用いる留め具の位置を、すべてずらすことで、留め具相互が干渉せず、全体として、財布を薄型に形成することができる。
【００５９】
また、通常、札入れ部は、財布の二つ折りとなる方の反対側の財布の表面側に位置するが、この部分に、各種カードを挿入可能なサイズのスリットを設けた。そして、例えば、このスリットに被接触型のＩＣカードなどを挿入することで、財布のカードや小銭入れとは反対の側に、配置することができる。したがって、ＩＣカード等の利用に当たって、財布ごと読み取り機に近接させれば、他のカード等の干渉を受けることなく、ＩＣカードを利用することが可能となる。
【００６０】
［２．他の実施形態］
本考案は、上記の本実施形態に示す構成に限定されるものではなく、例えば、次に示す態様も包含するものである。
【００６１】
本実施形態においては、札入れ部２の図面上左に小銭入れ部を、右にカード入れ部とを設けているが、このような構成に限らず、小銭入れ部を右にし、カード入れ部を左に設けることも可能である。
【００６２】
本実施形態における留め具としては、スナップボタンを例に挙げたが、これは最適な実施態様を示すに過ぎず、面ファスナー、磁石やフックなど、財布を構成する各構成部材を固定することができるものであれば、いかなるものを用いても、本考案は実現可能である。
【符号の説明】
【００６３】
１…財布
２…札入れ部
２１…第一上部折返し片
２２…第一下部折返し片
２３…スリット
２４，２５…雌留め具
３…小銭入れ部
３１…第二上部折返し片
３２…第二下部折返し片
３３…第一留め具
３４…第一雄留め具
３５…貫通孔
３６…小銭蓋
３７…第二留め具
４…カード入れ部
４１…第三上部折返し片
４２…第三下部折返し片
４３…第二雄留め具
４４…カード蓋
４５…第二留め具
Ｃ，Ｃ２，Ｃ３，Ｃ４…中央部分
Ｏ…中心線
Ｒ…折り目
Ｓ…シート材料
【図１】
0003180002.tif 000003
【図２】
0003180002.tif 000004
【図３】
0003180002.tif 000005
【図４】
0003180002.tif 000006
【図５】
0003180002.tif 000007
【図６】
0003180002.tif 000008
【図７】
0003180002.tif 000009